【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
被験者の呼吸障害を分類するように構成されるシステムであり、
前記被験者の気道に加圧した呼吸可能なガス流をある圧力レベルで供給するように構成される圧力発生器、
前記被験者の呼吸に関する情報を搬送する出力信号を生成するように構成される１つ以上のセンサ、及び
１つ以上の物理的な処理器
を有するシステムにおいて、前記１つ以上の物理的な処理器は、
推奨される吸気気道陽圧（ＩＰＡＰ）レベル及び推奨される呼気気道陽圧（ＥＰＡＰ）レベルを受け取る、
前記生成された出力信号に基づいて、前記被験者の呼吸に関する１つ以上のタイミングパラメタを決定する、
吸気中は、前記加圧した呼吸可能なガス流の圧力レベルは前記推奨されるＩＰＡＰレベルに対応する及び呼気中は、前記加圧した呼吸可能なガス流の圧力レベルは前記推奨されるＥＰＡＰレベルに対応するように、前記加圧した呼吸可能なガス流を制御し、当該制御は前記１つ以上のタイミングパラメタに基づいている、
１つ以上の呼吸周期の吸気中、前記加圧した呼吸可能なガス流の圧力レベルを前記推奨されるＩＰＡＰレベルに対して低下させ、吸気中の前記低下した圧力レベルは、呼気中の圧力レベルよりも低い、
吸気中の前記低下した圧力レベルを持つ前記１つ以上の呼吸周期中に前記生成された出力信号に基づいて、前記被験者の１つ以上の呼吸パラメタを決定する、
並びに
吸気中の前記低下した圧力レベルを持つ前記１つ以上の呼吸周期中に決定した前記１つ以上の呼吸パラメタに基づいて、前記被験者の呼吸障害の分類を決定する
ように構成される、システム。
【請求項２】
前記１つ以上の物理的な処理器は、第１の吸気中の圧力レベルを第１の低下したレベルに、及び第２の吸気中の圧力レベルを第２の低下したレベルに低下させるように構成され、前記第２の吸気は、前記第１の吸気の後であり、前記１つ以上の物理的な処理器は、前記第１の吸気中に第１の呼吸パラメタを、及び前記第２の吸気中に第２の呼吸パラメタを決定するように構成され、前記１つ以上の物理的な処理器はさらに、前記第１の呼吸パラメタと前記第２の呼吸パラメタとの差を決定するように構成され、並びに前記分類は、前記決定された差に基づいている、請求項１に記載のシステム。
【請求項３】
前記１つ以上の物理的な処理器はさらに、
前記推奨されるＩＰＡＰレベルを持つ１つ以上の吸気中に１つの吸気流量を決定する、及び
前記低下した圧力レベルを持つ前記１つ以上の吸気中に第２の吸気流量を決定する、
ように構成され、前記１つ以上の呼吸パラメタは、低下した圧力レベルを持つ吸気相の開始と、前記１つの吸気流量と前記第２の吸気流量との間における変化との間の遅延を示す遅延パラメタを含み、前記分類はさらに前記遅延パラメタに基づいている、請求項１に記載のシステム。
【請求項４】
前記１つ以上の物理的な処理器は、前記決定した１つ以上の呼吸パラメタが気道の不安定性を示すまで、吸気中の前記圧力レベルを繰り返し低下させるように構成される、請求項１に記載のシステム。
【請求項５】
前記１つ以上の物理的な処理器はさらに、
１つ以上の呼吸周期の呼気中、前記加圧した呼吸可能なガス流の圧力レベルを前記推奨されるＥＰＡＰレベルに対して増大させる、及び
前記生成される出力信号に基づいて、前記気道の安定性が回復されたかを決定する
ように構成され、前記被験者の呼吸障害の分類はさらに、呼気中の前記増大した圧力レベル及び前記気道の安定性に関する前記決定に基づいている、請求項４に記載のシステム。
【請求項６】
被験者の呼吸障害を分類するための情報を集める方法であり、前記被験者の気道に加圧した呼吸可能なガス流をある圧力レベルで供給する圧力発生器、１つ以上のセンサ及び１つ以上の物理的な処理器を用いて実施される前記方法において、前記方法は、
前記１つ以上のセンサにより、前記被験者の呼吸に関する情報を搬送する出力信号を生成するステップ、
推奨される吸気気道陽圧（ＩＰＡＰ）レベル及び推奨される呼気気道陽圧（ＥＰＡＰ）レベルを受け取るステップ、
前記生成された出力信号に基づいて、前記被験者の呼吸に関する１つ以上のタイミングパラメタを決定するステップ、
吸気中は、前記加圧した呼吸可能なガス流の圧力レベルは前記推奨されるＩＰＡＰレベルに対応する及び呼気中は、前記加圧した呼吸可能なガス流の圧力レベルは前記推奨されるＥＰＡＰレベルに対応するように、前記加圧した呼吸可能なガス流を制御するステップであり、当該制御は前記１つ以上のタイミングパラメタに基づいている、前記制御するステップ、
１つ以上の呼吸周期の吸気中、前記加圧した呼吸可能なガス流の圧力レベルを前記推奨されるＩＰＡＰレベルに対して低下させるステップであり、吸気中の前記低下した圧力レベルは、呼気中の圧力レベルよりも低い、前記低下させるステップ、並びに
吸気中の前記低下した圧力レベルを持つ前記１つ以上の呼吸周期中に前記生成された出力信号に基づいて、前記被験者の１つ以上の呼吸パラメタを決定するステップ、
を有する方法。
【請求項７】
前記圧力レベルを低下させるステップは、
第１の吸気中の前記圧力レベルを第１の低下したレベルに低下させるステップ、
第２の吸気中の前記圧力レベルを第２の低下したレベルに低下させるステップであり、前記第２の吸気は、前記第１の吸気の後である、ステップを含み、前記１つ以上の呼吸パラメタを決定するステップは、
前記第１の吸気中に第１の呼吸パラメタを決定するステップ、
前記第２の吸気中に第２の呼吸パラメタを決定するステップ、及び
前記第１の呼吸パラメタと前記第２の呼吸パラメタとの差を決定するステップ、
を含む、請求項６に記載の方法。
【請求項８】
前記方法はさらに、
前記推奨されるＩＰＡＰレベルを持つ１つ以上の吸気中に１つの吸気流量を決定するステップ、及び
前記低下した圧力レベルを持つ前記１つ以上の呼吸周期中に第２の吸気流量を決定するステップ
を有し、前記１つ以上の呼吸パラメタは、前記低下した圧力レベルを持つ吸気相の開始と、前記１つの呼吸流量と前記第２の吸気流量との間における変化との間の遅延を示す遅延パラメタを含む、請求項６に記載の方法。
【請求項９】
前記決定した１つ以上の呼吸パラメタが気道の不安定性を示すまで、吸気中の前記圧力レベルを繰り返し低下させるステップをさらに有する請求項６に記載の方法。
【請求項１０】
１つ以上の呼吸周期の呼気中、前記加圧した呼吸可能なガス流の圧力レベルを前記推奨されるＥＰＡＰレベルに対して増大させるステップ、及び
前記生成される出力信号に基づいて、前記気道の安定性が回復されたかを決定するステップ、並びに
呼気中の前記増大した圧力レベル及び前記気道の安定性に関する前記決定に基づいて前記被験者の呼吸障害の分類を決定するステップ、
を有する、請求項９に記載の方法。
【請求項１１】
被験者の呼吸障害を分類するように構成されるシステムにおいて、
被験者の気道に加圧した呼吸可能なガス流をある圧力レベルで供給する手段、
前記被験者の呼吸に関する情報を搬送する出力信号を生成する手段、
推奨される吸気気道陽圧（ＩＰＡＰ）レベル及び推奨される呼気気道陽圧（ＥＰＡＰ）レベルを受け取る手段、
前記生成された出力信号に基づいて、前記被験者の呼吸に関する１つ以上のタイミングパラメタを決定する手段、
吸気中は、前記加圧した呼吸可能なガス流の圧力レベルは前記推奨されるＩＰＡＰレベルに対応する及び呼気中は、前記加圧した呼吸可能なガス流の圧力レベルは前記推奨されるＥＰＡＰレベルに対応するように、前記加圧した呼吸可能なガス流を制御する手段であり、当該制御は前記１つ以上のタイミングパラメタに基づいている、前記制御する手段、
１つ以上の呼吸周期の吸気中、前記加圧した呼吸可能なガス流の圧力レベルを前記推奨されるＩＰＡＰレベルに対して低下させる手段であり、吸気中の前記低下した圧力レベルは、呼気中の圧力レベルよりも低い、前記低下させる手段、
吸気中の前記低下した圧力レベルを持つ前記１つ以上の呼吸周期中に前記生成された出力信号に基づいて、前記被験者の１つ以上の呼吸パラメタを決定する手段、並びに
吸気中の前記低下した圧力レベルを持つ前記１つ以上の呼吸周期中に決定した前記１つ以上の呼吸パラメタに基づいて、前記被験者の呼吸障害の分類を決定する手段
を有するシステム。
【請求項１２】
前記圧力レベルを低下させる手段は、第１の吸気中の圧力レベルを第１の低下したレベルに、及び第２の吸気中の圧力レベルを第２の低下したレベルに低下させるように構成され、前記第２の吸気は、前記第１の吸気の後であり、前記１つ以上の呼吸パラメタを決定する手段は、前記第１の吸気中に第１の呼吸パラメタを、及び前記第２の吸気中に第２の呼吸パラメタを決定するように構成され、前記１つ以上の呼吸パラメタを決定する手段はさらに、前記第１の呼吸パラメタと前記第２の呼吸パラメタとの差を決定するように構成され、並びに前記分類を決定する手段の動作は、前記決定された差に基づいている、請求項１１に記載のシステム。
【請求項１３】
請求項１１に記載のシステムはさらに、
前記推奨されるＩＰＡＰレベルを持つ１つ以上の吸気中に１つの吸気流量を決定する手段、及び
前記低下した圧力レベルを持つ前記１つ以上の吸気中に第２の吸気流量を決定する手段、
を有し、前記１つ以上の呼吸パラメタは、低下した圧力レベルを持つ吸気相の開始と、前記１つの吸気流量と前記第２の吸気流量との間における変化との間の遅延を示す遅延パラメタを含み、前記分類はさらに前記遅延パラメタに基づいている、システム。
【請求項１４】
前記圧力レベルを繰り返し低下させる手段は、前記決定した１つ以上の呼吸パラメタが気道の不安定性を示すまで、吸気中の前記圧力レベルを繰り返し低下させるように構成される、請求項１１に記載のシステム。
【請求項１５】
請求項１４に記載のシステムはさらに、
１つ以上の呼吸周期の呼気中、前記加圧した呼吸可能なガス流の圧力レベルを前記推奨されるＥＰＡＰレベルに対して増大させる手段、及び
前記生成される出力信号に基づいて、前記気道の安定性が回復されたかを決定する手段を有し、
前記被験者の呼吸障害の分類を決定する手段の動作はさらに、呼気中の前記増大した圧力レベル及び前記気道の安定性に関する前記決定に基づいている、システム。